(57)【要約】【課題】精度良く所定の場所で発生しやすい生物の情報を提供するとともに操作性の向上の工夫が施された生物情報検索システム、生物情報検索方法、生物情報検索プログラム、この生物情報検索システムを構成する電子機器およびデータベースサーバを提供する。【解決手段】上記目的を達成する本発明の電子機器は、上記電子機器の周囲の環境状態を表す環境情報を検出する検出センサと、生物を特定する生物特定情報と該生物の生息環境を表す生物環境情報とが関連付けられた生物情報が記憶されたデータベースから、上記検出センサの検出より得られた環境情報に基づいて、生物情報検索システムにより、上記生物環境情報を検索し、その生物環境情報に対応する生物特定情報からなる検索結果を取得する検索手段と、その検索結果を表示画面に表示する表示部と、を備える。 【選択図】図２
2008167664.tif 000002
【特許請求の範囲】
【請求項１】
携帯型の電子機器において、
前記電子機器の周囲の環境状態を表す環境情報を検出する検出センサと、
生物を特定する生物特定情報と該生物の生息環境を表す生物環境情報とが関連付けられた生物情報が記憶されたデータベースから、前記検出センサの検出より得られた環境情報に基づいて前記生物環境情報を検索し、該生物環境情報に対応する生物特定情報からなる検索結果を取得する検索手段と、
該検索結果を表示画面に表示する表示部と、を備えたことを特徴とする電子機器。
【請求項２】
ネットワークを介して他のサーバにアクセスする通信手段を備えるとともに、
前記検索手段は、前記データベースを備えたネットワーク上のデータベースサーバにアクセスし、前記検索を行って、当該データベースサーバから前記検索結果を取得する、ことを特徴とする請求項１記載の電子機器。
【請求項３】
前記検出センサは、前記環境情報として、温度、湿度の少なくとも一方を検出する、ことを特徴とする請求項１又は２記載の電子機器。
【請求項４】
前記検出センサは、前記環境情報として、ニオイを検出する、ことを特徴とする請求項１から３のうちいずれか１項記載の電子機器。
【請求項５】
前記生物特定情報に基づいて、所定の周波数の超音波を発生する超音波発生部を備える、ことを特徴とする請求項１から４のうちいずれか１項記載の電子機器。
【請求項６】
前記生物特定情報は、生物ごとに前記超音波を忌避する生物であるか否かの情報を含む、ことを特徴とする請求項５項記載の電子機器。
【請求項７】
前記生物特定情報は、生物ごとに発生しやすい地域を表す地域情報を含む、ことを特徴とする請求項１から６のうちいずれか１項記載の電子機器。
【請求項８】
所定の位置情報を登録する位置情報登録手段を備え、
前記検索手段が、前記データベースから登録されている位置情報に対応する地域に発生しやすい生物を検索する、ことを特徴とする請求項７記載の電子機器。
【請求項９】
前記位置情報登録手段は、電子機器本体の位置情報を提供する外部装置から現在の位置情報を取得して登録する機能を有する、ことを特徴とする請求項８記載の電子機器。
【請求項１０】
生物を特定する生物特定情報と該生物の生息環境を表す生物環境情報とが関連付けられた生物情報が記憶されたデータベースと、
ネットワークを介して接続された携帯型の電子機器から、当該電子機器にて検出されたその周囲の環境状態を表す環境情報の送信を伴う検索要求を受け付け、該検索要求に応じて、前記データベースから前記環境情報に基づいて生物環境情報を検索し、該生物環境情報に対応する生物特定情報からなる検索結果を前記電子機器に送信する検索情報提供手段と、を備えたことを特徴とするデータベースサーバ。
【請求項１１】
ネットワークを介して接続された、ユーザが使用する携帯型の電子機器と、所定のデータを格納するデータベースサーバと、を有し、
前記データベースサーバは、
生物を特定する生物特定情報と該生物の生息環境を表す生物環境情報とが関連付けられた生物情報が記憶されたデータベースと、
前記電子機器から、当該電子機器にて検出されたその周囲の環境状態を表す環境情報の送信を伴う検索要求を受け付け、この検索要求に応じて、前記データベースから前記環境情報に基づいて生物環境情報を検索し、該生物環境情報に対応する生物特定情報からなる検索結果を前記電子機器に送信する検索情報提供手段と、を備え、
前記電子機器は、該電子機器の周囲の環境状態を表す環境情報を検出する検出センサと、
前記検出した環境情報を送信して、前記データベースサーバに対して検索要求を行う検索要求手段と、
前記データベースサーバから送信された検索結果を該データベースサーバから取得する検索結果取得手段と、
前記検索結果取得手段により取得した検索結果を表示画面に表示する表示部と、を備えたことを特徴とする生物情報検索システム。
【請求項１２】
ネットワークを介して接続された、ユーザが使用する携帯型の電子機器と、所定のデータを格納するデータベースサーバと、により生物環境情報を検索する方法であって、
前記電子機器が、該電子機器の周囲の環境状態を表す環境情報を検出する検出工程と、
前記電子機器が、前記検出した環境情報を送信して検索要求を前記データベースサーバに対して行う検索要求工程と、
前記データベースサーバが、前記電子機器からの検索要求に応じて、生物を特定する生物特定情報と該生物の生息環境を表す生物環境情報とが関連付けられた生物環境情報が記憶されたデータベースから、前記電子機器にて検出され送信された環境情報に基づいて前記生物環境情報を検索し、前記電子機器に対して該生物環境情報に対応する生物特定情報からなる検索結果を送信する検索情報提供工程と、
前記電子機器が、前記検索情報提供工程で前記データベースサーバから送信された検索結果を取得する検索結果取得工程と、
前記検索結果取得工程により取得した検索結果を前記電子機器の表示画面に表示する表示工程と、を備えたことを特徴とする生物情報検索方法。
【請求項１３】
ネットワークを介して接続された、ユーザが使用する携帯型の電子機器に、
前記電子機器の周囲の環境状態を表す環境情報を検出する検出手段と、
生物を特定する生物特定情報と該生物の生息環境を表す生物環境情報とが関連付けられた生物情報が記憶されたデータベースから前記検出手段にて検出された環境情報に基づいて前記生物環境情報を検索し、該生物環境情報に対応する生物特定情報からなる検索結果を取得する検索結果取得手段と、
前記検索結果を表示画面に表示する表示手段と、を実現するための生物情報検索プログラム。
【請求項１４】
所定のデータを格納するデータベースを有するデータベースサーバに、
ネットワークを介して接続された携帯型の電子機器から、当該電子機器にて検出されたその周囲の環境状態を表す環境情報の送信を伴う検索要求を受け付け、この検索要求に応じて、生物を特定する生物特定情報と該生物の生息環境を表す生物環境情報とが関連付けられた生物情報が記憶されたデータベースから前記環境情報に基づいて生物環境情報を検索し、該生物環境情報に対応する生物特定情報からなる検索結果を前記電子機器に送信する検索情報提供手段、を実現するための生物情報検索プログラム。
【発明の詳細な説明】
【技術分野】
【０００１】
本発明は、携帯型の電子機器、データベースサーバ、生物情報検索システム、生物情報検索方法、および生物情報検索プログラムに関する。
【背景技術】
【０００２】
近年、携帯電話などの電子機器が急速に普及し、単なる通話機能だけではなく、メール機能、静止画記録機能、動画記録機能、インターネット検索機能など、様々な機能が搭載されている。
【０００３】
上記携帯電話の中には、上述した機能以外にも、生物（小動物）忌避システムと称される機能を有する携帯電話が提案されている（例えば、特許文献１参照）。
【０００４】
この生物忌避システムとは、蚊、ハエ、アブなどの昆虫類、ねずみ、もぐらなどの哺乳類といった生物が忌避する超音波の周波数に関する情報を、コンピュータサーバからネットワークを介して取得し、その周波数に関する情報に基づいて携帯電話に備えられた超音波発生装置から所定の超音波を発生し、生物を駆除するシステムである。
【０００５】
そして、ユーザがこの生物忌避システムを利用し、携帯電話に備えられた超音波発生装置から所定の超音波を発生させることにより、この携帯電話を使用しているユーザに寄ってくる生物（例えば、蚊）を忌避させることができる。
【０００６】
【特許文献１】特開２００３−２７４８４０号公報
【発明の開示】
【発明が解決しようとする課題】
【０００７】
ここで、この生物忌避システムによれば、ユーザが、超音波を発生させる場所の情報を入力パラメータとして手動で携帯電話に入力し、その入力パラメータをコンピュータサーバに送信して生物が忌避する超音波の周波数に関する情報を取得する。したがって、ユーザは、温度計や湿度計で現在の温度、湿度を確認する必要がある。
【０００８】
しかしながら、ユーザは、必ずしも温度計や湿度計などの環境状態を計測する機器を携帯電話とともに携帯しているわけではなく、また、ユーザが携帯電話を使用する場所に温度計や湿度計が備えられているわけでもない。そのため、正確な環境情報を入力パラメータとして入力することが困難になる場合がある。また、ユーザが温度計や湿度計を見て、温度、湿度などの環境情報を入力パラメータとして手入力するとなると、操作が煩わしいという問題も生じる。
【０００９】
本発明は、上記事情に鑑み、より精度良く所定の場所で発生しやすい生物の情報を提供するとともに操作性の向上の工夫が施された生物情報検索システム、生物情報検索方法、生物情報検索プログラム、この生物情報検索システムを構成する電子機器およびデータベースサーバを提供することを目的とする。
【課題を解決するための手段】
【００１０】
上記目的を達成する本発明の電子機器は、
携帯型の電子機器において、
上記電子機器の周囲の環境状態を表す環境情報を検出する検出センサと、
生物を特定する生物特定情報とその生物の生息環境を表す生物環境情報とが関連付けられた生物情報が記憶されたデータベースから、上記検出センサの検出より得られた環境情報に基づいて上記生物環境情報を検索し、その生物環境情報に対応する生物特定情報からなる検索結果を取得する検索手段と、
その検索結果を表示画面に表示する表示部と、を備えたことを特徴とする。
【００１１】
本発明の電子機器によれば、電子機器内の検出センサが周囲の環境状態を表す環境情報を検出し、上記データベースから、上記環境情報に基づいて上記生物環境情報を検索し、その生物環境情報に対応する生物特定情報からなる検索結果を取得し、検索結果が表示画面に表示される。これにより、検出センサを電子機器本体と別個に携帯する必要がなくなり、電子機器内に備えられた検出センサによって正確な環境情報を確実に取得することができる。また、検出センサの検出により得られた環境情報をそのまま入力パラメータとすることができるので、操作性が向上する。また、正確な環境情報に基づいて生物特定情報を取得できるので、ユーザは、その生物特定情報を有害生物の駆除に利用することができる。なお、本発明にいう「生物」としては、昆虫類、哺乳類、両生類、爬虫類、および細菌などが挙げられる。
【００１２】
また、本発明の電子機器において、ネットワークを介して他のサーバにアクセスする通信手段を備えるとともに、
上記検索手段は、上記データベースを備えたネットワーク上のデータベースサーバにアクセスし、上記検索を行って、そのデータベースサーバから上記検索結果を取得する、ことが好ましい。上記構成によれば、上記電子機器が、ネットワークを介して上記データベースを備えたデータベースサーバにアクセスでき、検索結果を取得することができる。これにより、データベースの情報を携帯電話のメモリに記憶しておく必要がなく、メモリの負荷が低減し、その分、操作性が向上する。
【００１３】
また、本発明の電子機器において、上記検出センサは、上記環境情報として、温度、湿度の少なくとも一方を検出する、ことが好ましい。上記構成によれば、温度、湿度の少なくとも一方の環境情報に基づいて上記生物環境情報を検索することができる。これにより、その生物環境情報に対応する生物特定情報が得られる。
【００１４】
また、本発明の電子機器において、上記検出センサは、上記環境情報として、ニオイを検出する、ことが好ましい。上記構成によれば、ニオイの環境情報に基づいて上記生物環境情報を検索できる。これにより、その生物環境情報に対応する生物特定情報が得られる。
【００１５】
ここで、本発明の電子機器において、上記生物特定情報に基づいて、所定の周波数の超音波を発生する超音波発生部を備える、ことが好ましい。超音波発生部を備えることにより、超音波を忌避する生物に対して超音波を浴びせることができる。これにより、ユーザが携帯電話を使用する際、超音波を忌避する生物を駆除し、ユーザの周辺に近づけないで済む。
【００１６】
また、本発明の電子機器において、上記生物特定情報は、生物ごとに超音波を忌避する生物であるか否かの情報を含む、ことが好ましい。これにより、検索結果として、超音波を忌避する生物であるか否かの情報がユーザに提供される。すると、ユーザは、発生しやすい生物が超音波を忌避する生物であるか否かを知ることができる。また、超音波を忌避する生物のみに対して超音波を発生させることができ、操作性が向上する。
【００１７】
また、本発明の電子機器において、上記生物特定情報は、生物ごとに発生しやすい地域を表す地域情報を含む、ことが好ましい。これにより、検索結果として、生物ごとに発生しやすい地域の情報がユーザに提供される。すると、ユーザは、その地域に生息する生物情報を知ることができる。
【００１８】
また、本発明の電子機器において、所定の位置情報を登録する位置情報登録手段を備え、上記検索手段が、上記データベースから登録されている位置情報に対応する地域に発生しやすい生物を検索する、ことが好ましい。これにより、検索結果として、登録されている位置情報の地域に発生しやすい生物に関する生物情報がユーザに提供される。すると、ユーザは、登録されている位置情報の地域に発生しやすい生物の生物情報をユーザは知ることができる。
【００１９】
さらに、本発明の電子機器において、上記位置情報登録手段は、電子機器本体の位置情報を提供する外部装置から現在の位置情報を取得して登録する機能を有する、ことが好適である。このような好適な構成によれば、外部装置から電子機器本体の位置情報がユーザに提供され、現在の位置情報を登録することができる。すると、ユーザは手入力で住所などの位置情報を手入力せずに済み、その分、操作性が向上する。
【００２０】
ここで、本発明のデータベースサーバは、生物を特定する生物特定情報とその生物の生息環境を表す生物環境情報とが関連付けられた生物情報が記憶されたデータベースと、
ネットワークを介して接続された携帯型の電子機器から、その電子機器にて検出されたその周囲の環境状態を表す環境情報の送信を伴う検索要求を受け付け、この検索要求に応じて、上記データベースから上記環境情報に基づいて生物環境情報を検索し、その生物環境情報に対応する生物特定情報からなる検索結果を上記電子機器に送信する検索情報提供手段と、を備えたことを特徴とする。
【００２１】
上記構成によれば、上記データベースサーバは、上記電子機器から環境情報の送信を伴う検索要求を受け付け、この検索要求に応じて上記データベースから送信された環境情報に基づいて上記生物環境情報を検索し、その生物環境情報に対応する生物特定情報からなる検索結果を上記電子機器に送信する。したがって、ユーザは、外部のデータベースサーバにアクセスするだけで、上記生物特定情報を得ることができる。
【００２２】
ここで、本発明の生物情報検索システムは、ネットワークを介して接続された、ユーザが使用する携帯型の電子機器と、所定のデータを格納するデータベースサーバと、を有し、上記データベースサーバは、生物を特定する生物特定情報と該生物の生息環境を表す生物環境情報とが関連付けられた生物情報が記憶されたデータベースと、上記電子機器から、その電子機器にて検出されたその周囲の環境状態を表す環境情報の送信を伴う検索要求を受け付け、この検索要求に応じて、上記データベースから上記環境情報に基づいて生物環境情報を検索し、その生物環境情報に対応する生物特定情報からなる検索結果を上記電子機器に送信する検索情報提供手段と、を備え、
上記電子機器は、その電子機器の周囲の環境状態を表す環境情報を検出する検出センサと、
上記検出した環境情報を送信して、上記データベースサーバに対して検索要求を行う検索要求手段と、上記データベースサーバから送信された検索結果をそのデータベースサーバから取得する検索結果取得手段と、
上記検索結果取得手段により取得した検索結果を表示画面に表示する表示部と、を備えたことを特徴とする。
【００２３】
本発明の生物情報検索システムによれば、ネットワークを介して接続された、ユーザが使用する携帯型の電子機器と、所定のデータを格納するデータベースサーバと、を有し、
上記検出センサが、その電子機器の周囲の環境状態を表す環境情報を検出し、上記検索要求手段により、上記検出した環境情報を送信して、上記データベースサーバに対して検索要求を行う。続いて、上記データベースサーバは、環境情報の送信を伴う検索要求を受け付け、検索情報提供手段により、この検索要求に応じて、上記データベースから上記環境情報に基づいて生物環境情報を検索し、その生物環境情報に対応する生物特定情報からなる検索結果を上記電子機器に送信する。さらに、上記電子機器の検索結果取得手段により、上記データベースサーバから送信された検索結果をそのデータベースサーバから取得する。そして、上記表示部が上記検索結果取得手段により取得した検索結果を表示画面に表示する。このようにして、上記データベースサーバのデータベースから上記環境情報に基づいて生物環境情報を検索し、その生物環境情報に対応する生物特定情報からなる検索結果を電子機器が取得できる生物情報検索システムが構築される。
【００２４】
ここで、本発明の生物情報検索方法は、ネットワークを介して接続された、ユーザが使用する携帯型の電子機器と、所定のデータを格納するデータベースサーバと、により生物環境情報を検索する方法であって、上記電子機器が、その電子機器の周囲の環境状態を表す環境情報を検出する検出工程と、
上記電子機器が、上記検出した環境情報を送信して検索要求を前記データベースサーバに対して行う検索要求工程と、
上記データベースサーバが、上記電子機器からの検索要求に応じて、生物を特定する生物特定情報とその生物の生息環境を表す生物環境情報とが関連付けられた生物環境情報が記憶されたデータベースから、上記電子機器にて検出され送信された環境情報に基づいて上記生物環境情報を検索し、上記電子機器に対してその生物環境情報に対応する生物特定情報からなる検索結果を送信する検索情報提供工程と、
上記電子機器が、上記検索情報提供工程で前記データベースサーバから送信された検索結果を取得する検索結果取得工程と、
上記検索結果取得工程により取得した検索結果を上記電子機器の表示画面に表示する表示工程と、を備えたことを特徴とする。
【００２５】
本発明の生物情報検索方法によれば、上記電子機器が、該電子機器の周囲の環境状態を表す環境情報を検出し、上記検出した環境情報を送信して検索要求を前記データベースサーバに対して行う。続いて、上記データベースサーバが、上記電子機器からの検索要求に応じて、上記データベースから、上記電子機器にて検出され送信された環境情報に基づいて上記生物環境情報を検索し、上記電子機器に対してその生物環境情報に対応する生物特定情報からなる検索結果を送信する。さらに、上記電子機器が、上記検索情報提供工程で前記データベースサーバから送信された検索結果を取得し、取得した検索結果を上記電子機器の表示画面に表示する。これにより、正確な入力パラメータを確実に取得するともに操作性が向上した生物情報検索方法が提供される。
【００２６】
ここで、本発明の生物情報検索プログラムは、ネットワークを介して接続された、ユーザが使用する携帯型の電子機器に、
上記電子機器の周囲の環境状態を表す環境情報を検出する検出手段と、
生物を特定する生物特定情報とその生物の生息環境を表す生物環境情報とが関連付けられた生物情報が記憶されたデータベースから上記検出手段にて検出された環境情報に基づいて上記生物環境情報を検索し、その生物環境情報に対応する生物特定情報からなる検索結果を取得する検索結果取得手段と、
上記検索結果を表示画面に表示する表示手段と、を実現する。
【００２７】
本発明の生物情報検索プログラムによれば、上記検出手段が、上記電子機器の周囲の環境状態を検出し、上記検索要求手段が、データベースを有するデータベースサーバに対して、上記電子機器にて検出された環境情報に基づいて上記生物環境情報を検索する要求を行う。続いて、検索結果取得手段が、その生物環境情報に対応する生物特定情報からなる検索結果を取得する。さらに、表示手段が上記検索結果を表示画面に表示する。これにより、正確な入力パラメータを確実に取得するともに操作性が向上した生物情報検索プログラムが提供される。
【００２８】
また、本発明の生物情報検索プログラムは、所定のデータを格納するデータベースを有するデータベースサーバに、
ネットワークを介して接続された携帯型の電子機器から、その電子機器にて検出されたその周囲の環境状態を表す環境情報の送信を伴う検索要求を受け付け、この検索要求に応じて、生物を特定する生物特定情報とその生物の生息環境を表す生物環境情報とが関連付けられた生物情報が記憶されたデータベースから上記環境情報に基づいて生物環境情報を検索し、その生物環境情報に対応する生物特定情報からなる検索結果を上記電子機器に送信する検索情報提供手段、を実現する。
【００２９】
本発明の生物情報検索プログラムによれば、上記検索情報提供手段は、ネットワークを介して接続された携帯型の電子機器から、その電子機器にて検出されたその周囲の環境状態を表す環境情報の送信を伴う検索要求を受け付け、この検索要求に応じて、上記データベースから上記環境情報に基づいて生物環境情報を検索し、その生物環境情報に対応する生物特定情報からなる検索結果を上記電子機器に送信する。これにより、データベースを電子機器に構築せずに済む。
【発明の効果】
【００３０】
本発明によれば、より精度良く所定の場所で発生しやすい生物の情報を提供するとともに操作性の向上の工夫が施された生物情報検索システム、生物情報検索方法、生物情報検索プログラム、この生物情報検索システムを構成する電子機器およびデータベースサーバが提供される。
【発明を実施するための最良の形態】
【００３１】
以下、図面を参照して本発明の実施形態を説明する。
【００３２】
ここでは、本発明の生物情報検索プログラムの一実施形態が電子機器およびデータベースサーバに組み込まれ、その生物情報検索プログラムに基づいて電子機器およびデータベースサーバ上で本発明の生物情報検索方法の一実施形態が実行され、その結果、その電子機器およびデータベースサーバが動作する生物情報検索システムについて説明する。なお、以下では、本発明の電子機器として、携帯電話を例に挙げて説明する。但し、これは一例であって、携帯電話に限られず、上記特徴を有する他の電子機器（例えば、ＰＤＡ（Ｐｅｒｓｏｎａｌ  Ｄｉｇｉｔａｌ  Ａｓｓｉｓｔａｎｔ）など）であってもよい。
【実施例１】
【００３３】
[構成]
図１は、本発明の一実施形態としての携帯電話の正面図である。図１に示すように、本発明における携帯電話１には、表示部１０、操作部１１が設けられている。この表示部１０は、液晶表示用の液晶ＬＣＤ（ＬＣＤ：Ｌｉｑｕｉｄ  ＣｒｙｓｔａｌＤｉｓｐｌａｙ）からなり、携帯電話１のメニュー等を表示するものである。この操作部１１には、１から０までのテンキー、電源キー、通話キー、クリアキー、＊キー、および＃キーなどの操作キー１２やメニュー切替え実行キー１３が設けられている。このメニュー切替え実行キー１３は、４つのメニューキー（１３１ａ〜１３１ｄ）と実行キー１３２から構成されており、ユーザは、メニューキー（１３１ａ〜１３１ｄ）により表示部１０に表示されるメニュー等を自在に切り替えて設定条件を選択し、実行キー１３２を押下することで選択条件の操作を実行させる。この操作部１１は、操作キー１２やメニュー切替え実行キー１３の操作を受け付けて後述する中央処理装置（ＣＰＵ：Ｃｅｎｔｒａｌ  ｐｒｏｃｅｓｓｉｎｇ  Ｕｎｉｔ）に処理の命令を出すものである。
【００３４】
また、携帯電話１には、スピーカ発音口１４および受話口１５が設けられている。スピーカ発音口１４は、携帯電話内部に設けられているスピーカの音声を聞き取るものであり、受話口１５は携帯電話内部に設けられたマイクにユーザの声を導くものである。
【００３５】
図２は、本発明の一実施形態である生物情報検索システムを示す模式図である。図２に示す生物情報検索システム１００は、図１に示す携帯電話１と、その携帯電話１とネットワークを介してデータの送受信を行うデータベースサーバ２と、を有する。ここでは、携帯電話１と、その携帯電話１との間で無線通信がなされる基地局３と、その基地局３とインターネット４で接続されたデータベースサーバ２が示されており、基地局３とインターネット４が本発明にいうネットワークの一例に相当する。
【００３６】
次に、携帯電話１、データベースサーバ２の内部構成について説明する。まず、データベースサーバ２の内部構成について説明する。
図３は、図２に示すデータベースサーバの内部構成図である。データベースサーバ２には、データベース用記憶部２１、データベース用ＣＰＵ２２が備えられている。さらに、このデータベース用記憶部２１には、データベース２１１が備えられており、生物を特定する生物特定情報とその生物の生息環境を表す生物環境情報とが関連付けられた生物情報が記憶されている。ここで、生物特定情報には、昆虫類、哺乳類、両生類、爬虫類、および細菌などに含まれる生物の具体的な名前のリストが登録されており、生物ごとに超音波を忌避する生物であるか否かの情報が登録されている。さらに、超音波を忌避する生物である場合、どの超音波の周波数が効果的であるかについての情報も登録されている。ユーザは、生物特定情報をデータベース検索によって知ることにより、生物が忌避する超音波の周波数を携帯電話１から発信させることができる。また、生物ごとに発生しやすい地域を表す地域情報も登録されている。一方、生物環境情報には、生物ごとに生息しやすい温度範囲、湿度範囲などの環境情報が記憶されている。
【００３７】
また、データベース用ＣＰＵ２２には、プログラムが組み込まれることによって、検索情報提供部２２１が構築される。この検索情報提供部２２１は、携帯電話１から、温湿度センサ１８にて検出された温度、湿度の環境情報の送信を伴う検索要求を受け付けると、データベース用記憶部内のデータベース２１に対して、温湿度センサ１８にて検出された温度、湿度の環境情報や位置情報をキーワード情報として、生物環境情報を検索する。続いて、検索情報提供部２２１では、そのキーワード情報に対応する生物環境情報が得られることで、その生物環境情報に関連づけられた生物特定情報からなる検索結果を取得し、携帯電話１に送信する（検索情報提供手段）。
次に、携帯電話１の内部構成について説明する。
【００３８】
図４は、図１に示す携帯電話の内部構成を示す図である。この携帯電話１には、ＣＰＵ５、記憶部６、マイク７、スピーカ８、電源９、無線部１６、およびアンテナ１７が設けられている。ＣＰＵ５は、この携帯電話１の動作を総合的に制御するものである。ＣＰＵ５には、プログラムが組み込まれることによって、検出部５１、検索部５２が構築される。検出部５１は、後述する温湿度センサ１８の計測データを処理して、温度、湿度を求めるものである。ここで、温度、湿度が本発明にいう環境情報の一例に相当する。また、検索部は、温湿度センサ１８の計測により得られた温度、湿度に基づいて、データベースサーバ内のデータベースを検索し検索結果を取得（検索手段）ものであり、詳細は後述する。
【００３９】
また、記憶部６は、不揮発性メモリであって、ＣＰＵ５で実行するプログラム等を記憶しておくものである。また、マイク７は、携帯電話で話す際に声を集音するものであり、スピーカ８は、携帯電話で話す際に相手の声を発するものである。また、電源９は、携帯電話１に電力を供給するものであり、無線部１６は、アンテナ１７を介して外部と無線通信を行うものである。また、無線部１６は、人工衛星から送られてくる電波を受信して現在位置を取得するＧＰＳ（Ｇｌｏｂａｌ  Ｐｏｓｉｔｉｏｎｉｎｇ  Ｓｙｓｔｅｍ）機能を備えている。
【００４０】
また、この携帯電話１には、温湿度センサ１８、超音波発生装置１９が備えられている。この温湿度センサ１８は、携帯電話１の周囲の温度および湿度を計測するものであり、温湿度センサ１８には、温度検出素子および湿度検出素子が内蔵されている。この温度検出素子は白金測温抵抗体であって、温湿度センサ１８は、金属の電気抵抗が温度変化に対して変化する性質を利用して温度を計測する。また、湿度検出素子は、電気容量式の高分子膜であって、温湿度センサ１８は、高分子膜の含有水分量によって変化する電気容量値を計測することで、湿度を計測するものである。なお、この温湿度センサ１８の計測方法は一例であって、上記方法に限られず、他の方法で温度、湿度を計測してもよい。
また、超音波発生装置１９は、特定の生物が忌避する周波数帯域の超音波を発生するものである。周波数としては、２万Ｈｚから４万Ｈｚまでの超音波を選択的に発生する超音波振動素子が備えられている。
【００４１】
図５は、図４に示す検索部の内部構成図である。検索部５１は、位置情報登録部５１１、検索要求部５１２、検索結果取得部５１３、および表示制御部５１４で構築される。位置情報登録部５１１は、所定の位置情報を記憶部６に登録するものである（位置情報登録手段）。ここでは、携帯電話１の無線部１６がＧＰＳ機能により、人工衛星（不図示）から現在の位置情報を取得して、記憶部６に登録する。
【００４２】
また、検索要求部５１２は、データベースサーバ２に対して、無線部１６から検索要求を表すデータを送信するとともに、温度、湿度の計測結果の値および位置情報のデータを送信して、これらの情報に対応する生物環境情報から導かれる生物特定情報（生物の名前、生物の写真、図など）の検索の要求を行うものである（検索要求手段）。
また、検索結果取得部５１３は、データベースサーバ２から送信され、ネットワークを介して検索結果を表すデータを受信し、続いて、生物環境情報に対応する生物特定情報からなる検索結果を取得する（検索結果取得手段）。また、表示制御部５１４は検索結果を表示部１０に表示する。
[動作]
次に、携帯電話１およびデータベースサーバ２の動作について説明する。
【００４３】
まず、ユーザが、図１に示す携帯電話１の操作部１１上の電源キーをタッチして電源投入操作をすると、操作部１１が電源投入操作を受け付けて、ＣＰＵ５の指示により、表示部１０には、待ち受け画面が表示され使用可能となる。ここでは、ユーザが、本発明の一実施形態である生物情報検索システムを利用する場合には、前段階として、携帯電話１のプロバイダから生物情報検索システムのアプリケーションをダウンロードして入手する。ユーザが、メニュー切替え実行キー１３にて、この生物情報検索システムのアプリケーションを起動すると、表示部１０のメニュー表示として‘虫・細菌検索’の文字が表示される。さらに、ユーザが、メニュー切替え実行キー１３にて、虫・細菌検索を選択し実行すると、生物情報検索システムが開始する。
【００４４】
図６は、虫・細菌検索の開始を受け付けた場合の処理ルーチンのフローチャートである。まず、図５に示す位置情報登録部５１１により、位置データ登録のサブルーチンがコールされる。
【００４５】
図７は、位置データ登録のサブルーチンのフローチャートである。位置情報登録部５１１は、無線部１６に指示を出すことにより、ＧＰＳ機能により、ＧＰＳ機能を搭載した人工衛星（不図示）から、携帯電話１の現在位置である位置情報を入手する（ステップＳ２００）。次に、この位置情報を記憶部６に登録する（ステップＳ２０１）。そして、このサブルーチンは終了し、図６に示す温湿度センサ計測受付け（ステップＳ１０１）に戻る。温湿度センサ計測受付けがなされると、温湿度センサ１８により、携帯電話１の周囲の環境における温度および湿度が計測され、検出部５１で計測結果の値が得られる（ステップＳ１０２）。
次に、検索要求部５１２が、データベースサーバ２に対して検索要求の指示を出すと、無線部１６から検索要求を表すデータを送信するとともに、温度、湿度の計測結果の値および位置情報のデータを送信し（ステップＳ１０３）、この処理ルーチンを終了する。
【００４６】
次にデータベースサーバ２が、ネットワークを介して検索要求を表すデータを受信すると、データベースサーバ側の処理ルーチンが開始される。
【００４７】
図８は、データベースサーバの処理ルーチンのフローチャートである。データベースサーバ２では、図３に示す検索情報提供部２２が、携帯電話１からの検索要求を受け付けて、温度、湿度の計測結果の値および位置情報のデータをキーワード情報としてデータベース２２１内の生物環境情報を検索する。具体的には、一例として、計測された温度（２４．３℃）および湿度（４６．３％）の環境情報や所定の位置情報から、発生しやすい虫や細菌の生物環境情報を検索する（ステップＳ３００）。続いて、生物環境情報に対応する生物特定情報から、生物の名前を特定し、超音波を忌避するか生物であるか否かの情報からなる検索結果を取得する（ステップＳ３０１）。続いて、検索情報提供部２２は、検索結果のデータを携帯電話１に送信し（ステップＳ３０２）、この処理ルーチンを終了する。
【００４８】
次に、携帯電話１の無線部１６がネットワークを介して、データベースサーバ２から検索結果のデータを受信すると、携帯電話１側で、図９に示す処理ルーチンが開始される。
【００４９】
図９は、無線部がデータベースサーバから検索結果を受信して開始される処理ルーチンのフローチャートである。図５に示す検索結果取得部５１３では、無線部１６で受信したデータベースサーバ２からの検索結果を読み込む（ステップＳ４００）。続いて、表示制御部５１４が、表示部１０に検索結果を表示し（ステップＳ４０１）、この処理ルーチンを終了する。
【００５０】
図１０は、検索結果の一例を示す図である。図１０に示すように、表示部１０には、温度、湿度の計測結果とともに検索結果として、携帯電話１の位置の周囲の環境で発生可能性の高い害虫の名前や超音波の忌避の有無などが表示されている。ユーザはこの検索結果に基づいて、害虫の忌避する周波数の超音波を発信させたい場合には、メニュー切替え実行キー１３により、携帯電話１内に備えられた超音波発信装置から超音波を発信させることができる。
【００５１】
図１１は、超音波発信をユーザが行った場合のイメージ図である。図１１（ａ）は超音波を発信する前の状態を表した図であり、図１１（ｂ）は、超音波を発信させた後の状態を表した図である。ここでは、ユーザ３３が検索結果に基づいて、携帯電話１から害虫（チャバネゴキブリ）が忌避する２万ヘルツ〜４万ヘルツの超音波３５を選択的に発信すると、害虫３４が超音波３７により駆除される。なお、図１１では、参考までに他の害虫３５、３６も模式的に描かれている。
なお、本実施例では、位置情報登録手段として、ＧＰＳ機能を採用したが、ユーザが予め、位置情報を登録していてもよい。また、本実施例では、位置情報を取得したが、温度、湿度のみの環境情報で、生物特定情報からなる検索結果を得る方法を採用してもよい。
【実施例２】
【００５２】
次に、本発明の第２の実施例について説明する。なお、本発明の第１の実施例と本発明の第２の実施例とでは、内部構成が一部異なるが、それ以外はほぼ同様の構成を有するため、同じ要素については同じ符号を付して説明を省略し、実施例１と異なる構成について詳細に説明する。
[構成]
図１２は、実施例２における、図１に示す携帯電話の内部構成図である。ここでは、検出センサとして、温湿度センサ１８の代わりにニオイセンサ３１が備えられている。また、超音波発生装置１９の代わりにオゾン発生装置３２が備えられている。このニオイセンサ３１は、携帯電話１の周囲の環境状態のニオイを検出するものである。ニオイセンサ３１には、高分子膜によるニオイ検出素子が備えられており、ニオイセンサ３１は、ニオイ物質が高分子膜に付着した際の導電性の変化を計測する。検出部５１は、計測結果に基づいてニオイの強弱をデジタル値で表現するとともに、ニオイの物質を特定する。これにより、例えば、香水や整髪料のニオイを検知することができる。なお、上述したニオイの検出方法は、一例であって、他の計測原理によるニオイセンサを採用してもよい。
また、オゾン発生装置３２は、オゾン（Ｏ３）物質を発生する装置であって、オゾン発生装置内にコロナ電極が備えられており、コロナ放電を利用してオゾンを発生させるものである。オゾンは、強い酸化作用を有しており、酸化力によって、ニオイの原因の物質を酸化して分解することができる。
[動作]
次に、実施例２における携帯電話１の動作について説明する。
【００５３】
実施例１同様、ユーザが、携帯電話１の操作部１１上の電源キーをタッチして電源投入操作をすると、操作部１１が電源投入操作を受け付けて、ＣＰＵ５の指示により、表示部１０には、待ち受け画面が表示され使用可能となる。ユーザが、メニュー切替え実行キー１３にて、虫・細菌検索を選択し実行すると、生物情報検索システムが開始する。
【００５４】
図１３は、虫・細菌検索の開始を受け付けた場合の処理ルーチンのフローチャートである。
【００５５】
まず、図５に示す位置データ登録部５１１により位置情報が登録される（ステップＳ５００）。サブルーチンの処理は、実施例１と同様である。次に、ニオイセンサ受付けがなされ（ステップＳ５０１）、携帯電話１の周囲の環境におけるニオイを計測し、検出部５１で計測結果の値が得られる（ステップＳ５０２）。次に、検索要求部５１２が、データベースサーバ２に対して検索要求の指示を出すと、無線部１６から検索要求を表すデータを送信するとともに、ニオイの計測結果の値および位置情報のデータを送信し（ステップＳ５０３）、この処理ルーチンを終了する。
【００５６】
続いて、次にデータベースサーバ２が、ネットワークを介して検索要求を表すデータを受信すると、データベースサーバ側の処理ルーチンが開始され、ニオイの計測結果の値および位置情報のデータに基づいて、生物特定情報を検索結果として携帯電話１に送信してくる。検索結果取得部５１３では、無線部１６で受信したデータベースサーバ２からの検索結果を読み込み、表示制御部５１４が、表示部１０に検索結果を表示する。
【００５７】
図１４は、検索結果の一例を示す図である。図１４に示すように、表示部１０には、検索結果として、携帯電話１の位置の周囲の環境で発生可能性の高い虫としてのスズメバチの名前などが表示されている。従来より、スズメバチは、香水や整髪料の成分のニオイに敏感であり、スズメバチがいる地域では、攻撃してくる可能性があることが知られている。したがって、ニオイの計測結果の値および位置情報のデータによりデータベース検索することによりスズメバチが攻撃してくる可能性の有無を知ることができる。ユーザはこの検索結果に基づいて、メニュー切替え実行キー１３により、携帯電話１内に備えられたオゾン発生装置からオゾンを発生させると、オゾンにより、香水や整髪料のニオイ成分のもとになる物質が分解される。その結果、スズメバチが攻撃してくる恐れが著しく低減される。
【００５８】
なお、本発明の実施例では、携帯電話１のプロバイダから生物情報検索システムのアプリケーションをダウンロードし、ネットワークを介してデータベースサーバ内のデータベースにアクセスする場合について説明したが、これは一例であって、生物情報検索システムのアプリケーション内に本発明で利用したデータベースが組み込まれていてもよい。こうすることで、電子機器の電波が基地局に届かないような場合であっても、生物情報検索システムを利用することができる。
また、本発明の実施例では、主に害虫を駆除するために、本発明の生物情報検索システムを利用する場合について説明したが、これは一例であって、ユーザが、カブトムシやクワガタといった昆虫を探すときに生物情報検索システムを利用して、カブトムシやクワガタなどの昆虫の生物特定情報を得て、採集に役立ててもよい。
また、本発明のデータベースサーバ内のデータベースに、害虫駆除業者などの情報を生物特定情報に加えて登録してもよい。これにより、ユーザが、害虫駆除業者に関する企業情報を入手することができる。この場合、生物情報検索システムを提供するプロバイダなどの企業が推薦する害虫駆除業者を登録しておくことで、ユーザが悪徳業者に依頼してしまうというおそれを回避することができる。また、生物情報検索システムに、電子図鑑のような機能を盛り込んで、生物の名前やアニメの生物の名前をキーワードとして検索要求することにより、それらの生物に関する情報を電子機器の表示部に表示させてもよい。
【産業上の利用可能性】
【００５９】
本発明は、携帯型の電子機器などに利用することができ、産業上の利用可能性を有する。
【図面の簡単な説明】
【００６０】
【図１】本発明の一実施形態としての携帯電話の正面図である。
【図２】本発明の一実施形態である生物情報検索システムを示す模式図である。
【図３】図２に示すデータベースサーバの内部構成図である。
【図４】図１に示す携帯電話の内部構成を示す図である。
【図５】図２に示す検索部の内部構成図である。
【図６】虫・細菌検索の開始を受け付けた場合の処理ルーチンのフローチャートである。
【図７】位置データ登録のサブルーチンのフローチャートである。
【図８】データベースサーバの処理ルーチンのフローチャートである。
【図９】無線部がデータベースサーバから検索結果を受信して開始される処理ルーチンのフローチャートである。
【図１０】検索結果の一例を示す図である。
【図１１】超音波発信をユーザが行った場合のイメージ図である。
【図１２】実施例２における、図１に示す携帯電話の内部構成図である。
【図１３】虫・細菌検索の開始を受け付けた場合の処理ルーチンのフローチャートである。
【図１４】検索結果の一例を示す図である。
【符号の説明】
【００６１】
１  携帯電話
２  データベースサーバ
３  基地局
４  インターネット
１０  表示部
１１  操作部
１２  操作キー
１３  メニュー切替え実行キー
１４  スピーカ発音口
１５  受話口
１６  無線部
１７  アンテナ
１８  温湿度センサ
１９  超音波発生装置
２１  データベース用記憶部
２２  データベース用ＣＰＵ
３１  ニオイセンサ
３２  オゾン発生装置
３３  ユーザ
３４、３５、３６  害虫
３７  超音波
５１  検索部
１００  生物情報検索システム
１３１ａ、１３１ｂ、１３１ｃ、１３２ｄ  メニューキー
１３２  実行キー
２１１  データベース
２２１  検索情報提供部
５１１  位置情報登録部
５１２  検索要求部
５１３  検索結果取得部
５１４  表示制御部
【図１】
2008167664.tif 000003
【図２】
2008167664.tif 000004
【図３】
2008167664.tif 000005
【図４】
2008167664.tif 000006
【図５】
2008167664.tif 000007
【図６】
2008167664.tif 000008
【図７】
2008167664.tif 000009
【図８】
2008167664.tif 000010
【図９】
2008167664.tif 000011
【図１０】
2008167664.tif 000012
【図１１】
2008167664.tif 000013
【図１２】
2008167664.tif 000014
【図１３】
2008167664.tif 000015
【図１４】
2008167664.tif 000016